(57)【要約】【課題】カバー筒部材を紛失するおそれがなく、かつ簡単に使用できる、ノズルカバー付き押下げヘッド容器を提供する。【解決手段】容器体２の口頸部４内から上方付勢されかつ押下げヘッド１２を上部に付したステム１０を、口頸部４の外側からステムを囲む案内筒２４をそれぞれ起立するとともに、押下げヘッド１２の外面に、そのヘッド前面から突出したノズル１４の挿通用孔５２を有するカバー筒部材４０を昇降自在かつ回動可能に嵌合するとともに、押下げヘッドを回り止めし、さらに挿通用孔上方の筒壁４２部分からノズルカバー５６を突設した押下げヘッド容器であって、上記挿通用孔５２は、全体として筒壁４２の周方向に長い横溝５２ａを含み、この横溝の長手方向の一部を、筒径方向から見てＶ字形の第１の屈曲部５４として、回動時のカバー筒部材のノズルカバー５６とノズル１４とが接触しないように形成した。【選択図】図１
2010083493.tif 000002
【特許請求の範囲】
【請求項１】
容器体２の口頸部４内から上方付勢されかつ押下げヘッド１２を上部に付したステム１０を、口頸部４の外側からステムを囲む案内筒２４をそれぞれ起立するとともに、
押下げヘッド１２の外面に、そのヘッド前面から突出したノズル１４の挿通用孔５２を有するカバー筒部材４０を昇降自在かつ回動可能に嵌合するとともに、押下げヘッドを回り止めし、さらに挿通用孔上方の筒壁４２部分からノズルカバー５６を突設した押下げヘッド容器であって、
上記挿通用孔５２は、全体として筒壁４２の周方向に長い横溝５２ａを含み、この横溝の長手方向の一部を、筒径方向から見てＶ字形の第１の屈曲部５４として、回動時のカバー筒部材のノズルカバー５６とノズル１４とが接触しないように形成され、
さらに上記案内筒２４とこの案内筒と重なるカバー筒部材４０の筒部分との各対向面の一方に溝路２８を、他方にこの溝路２８内を移動する係合凸部４８をそれぞれ設けるとともに、その溝路２８を、ノズル挿通用孔５２に対応する形の案内溝２９と、押下げ用溝３０とで形成し、
案内溝２９は、少なくとも第１の屈曲部と相似な第２の屈曲部３２を含み上記横溝５２ａに対応する形の第１溝部分２９ａを有し、この第１溝部分の内縁に沿って係合凸部４８が移動することで、ノズル１４が上記横溝５２ａ内を溝の延びる方向へ案内されるように形成し、
押下げ用溝３０は、上記案内溝２９の先部から下方へ延長し、カバー筒部材４０が押下げヘッド１２とともに昇降する際に上記係合凸部４８が押下げ用溝３０内を上下動するように構成したことを特徴とする、ノズルカバー付き押下げヘッド容器。
【請求項２】
上記ノズルカバー５６は、天板５７の左右両縁から二つの側板５８を垂下し、これら側板のうち横溝５２aが延びる方向にある一方側板の垂下長ｈを、上記第２の屈曲部の高さHよりも小としたことを特徴とする、請求項１記載のノズルカバー付き押下げヘッド容器。
【請求項３】
上記挿通用孔５２は、カバー筒部材４０の筒壁４２の前壁部分下端から上方へ延びるノズル挿入用の一つの縦溝５２ｂと、この縦溝５２ｂの上部から周方向一方へ延びる一つの上述の横溝５２aとで形成され、
上記案内溝２９は、上記縦溝５２ａに対応して、第１溝部分２９ａの一端部から上方へ延びる第２溝部分２９ｂを有することを特徴とする、請求項２記載のノズルカバー付き押下げヘッド容器。
【請求項４】
上記挿通用孔５２は、カバー筒部材４０の筒壁４２の前壁部分下端から上方へ延びるノズル挿入用の一つの縦溝５２ｂと、この縦溝５２ｂの上部から周方向双方へ延びる一対の上述の横溝５２aとで形成されており、
上記案内溝２９は、上記対向面の一方の周方向の任意の一箇所から、各横溝５２ａに対応して周方向反対側へ延びる一対の第１溝部分２９ａと、当該箇所から縦溝５２ｂに対応して上方へ延びる第２溝部分２９ｂとを有し、
さらにそれら第１溝部分２９ａの先部からは、２本の押下げ用溝３０を垂下させたことを特徴とする、請求項２記載のノズルカバー付き押下げヘッド容器。
【請求項５】
上記対向面の一方に、同形状の複数の溝路２８を等角的に配置し、かつ他方に、各溝路内に挿入する溝路と同数の係合凸部４８を形成したことを特徴とする、請求項２から請求項４の何れかに記載のノズルカバー付き押下げヘッド容器。
【発明の詳細な説明】
【技術分野】
【０００１】
本発明は、ノズルカバー付き押下げヘッド容器に関する。
【背景技術】
【０００２】
従来押下げヘッドに付設したノズルを保護し、その押下げを阻止するストッパーとしての機能を付加するために、押下げヘッドからノズルに亘る部分を覆い、かつ着脱自在に嵌合させたカバー部材を有する押下げヘッド容器が提案されている（特許文献１）。
【特許文献１】特開平１１−０４３１６５
【発明の開示】
【発明が解決しようとする課題】
【０００３】
特許文献１の押上げヘッド容器では、カバー部材をノズル付き押下げヘッドに着脱自在に嵌合させていたから、使用の際にカバー部材を取り外した後に、このカバー部材を紛失してしまうおそれがあった。また、子供や高齢者など力の弱い利用者にとっては、押下げヘッドへのカバー部材の嵌合が固すぎると、着脱が容易でないことがあった。
本発明は、ノズル及び押下げヘッドのカバー筒部材を紛失するおそれがなく、かつ簡単に使用できる、ノズルカバー付き押下げヘッド容器を提供することを目的とする。
【課題を解決するための手段】
【０００４】
第１の手段は、容器体２の口頸部４内から上方付勢されかつ押下げヘッド１２を上部に付したステム１０を、口頸部４の外側からステムを囲む案内筒２４をそれぞれ起立するとともに、
押下げヘッド１２の外面に、そのヘッド前面から突出したノズル１４の挿通用孔５２を有するカバー筒部材４０を昇降自在かつ回動可能に嵌合するとともに、押下げヘッドを回り止めし、さらに挿通用孔上方の筒壁４２部分からノズルカバー５６を突設した押下げヘッド容器であって、
上記挿通用孔５２は、全体として筒壁４２の周方向に長い横溝５２ａを含み、この横溝の長手方向の一部を、筒径方向から見てＶ字形の第１の屈曲部５４として、回動時のカバー筒部材のノズルカバー５６とノズル１４とが接触しないように形成され、
さらに上記案内筒２４とこの案内筒と重なるカバー筒部材４０の筒部分との各対向面の一方に溝路２８を、他方にこの溝路２８内を移動する係合凸部４８をそれぞれ設けるとともに、その溝路２８を、ノズル挿通用孔５２に対応する形の案内溝２９と、押下げ用溝３０とで形成し、
案内溝２９は、少なくとも第１の屈曲部と相似な第２の屈曲部３２を含み上記横溝５２ａに対応する形の第１溝部分２９ａを有し、この第１溝部分の内縁に沿って係合凸部４８が移動することで、ノズル１４が上記横溝５２ａ内を溝の延びる方向へ案内されるように形成し、
押下げ用溝３０は、上記案内溝２９の先部から下方へ延長し、カバー筒部材４０が押下げヘッド１２とともに昇降する際に上記係合凸部４８が押下げ用溝３０内を上下動するように構成している。
【０００５】
本手段では、ノズルの挿通用孔を有し、かつ挿通用孔の上部からノズルカバーを突出するカバー筒部材を提案している。これにより、押下げ操作の際にカバー筒部材を外す必要がなく、この部材の紛失を防止できる。本発明の挿通用孔は、いわばノズルの“通り道”であり、その第２の屈曲部を含む第１の溝部分を有する。ノズルは、第２の屈曲部を通ることで、ノズルカバーの両側部を迂回するように斜め下方及び斜め上方へ順次移動するようにしている。特にこれら斜行状態で溝の内縁にノズルが押し付けられると、ステムに不適切な応力が作用するおそれがある。そこで挿通用孔内でその道なりにノズルを案内するための案内溝及び係合凸部を案内筒及びカバー筒部分の対応面部分に相互の係合可能に形成する。
【０００６】
「挿通用孔」は、ノズル付きの押下げヘッドにカバー筒部材を嵌合した状態で、カバー筒部材の回動及び上下動を可能とするために設ける。全体としてＴ字形やＬ字形などの溝状に形成することが望ましい。
【０００７】
「案内溝」は、係合凸部と協動してノズルがノズル挿通孔の内部を（好ましくは孔の中心線を）通るように案内する機能を有する。好適な実施形態では、装着部材の案内筒側に案内溝を、カバー筒部材の筒部分側に係合凸部をそれぞれ形成しているが、案内筒側に係合凸部を、筒部分側に案内溝を形成してもよい。また、「カバー筒部材の筒部分」は、カバー筒部材の周壁（外周壁）に限定されず、案内筒に対して回動可能であればよい。
【０００８】
上記案内機能を実現するために案内溝と挿通用孔とは相互に対応した形状を有する。図１に示すように案内溝と挿通用孔とを、相対的に動く２つのパーツ（案内筒とカバー筒部材）に形成するときには、案内溝と挿通用孔とは図８及び図９に示すようにおおよそ１８０°回転対称な形状とするとよい。案内筒や押下げヘッドに対してカバー筒部材が回動及び昇降するときに、案内溝内の係合凸部の動きと挿通用孔内のノズルの動きとは相対的に反対となるからである。案内溝と挿通用孔とが同じパーツにあるときには、両者は同じ向きの相似形とすればよい。
【０００９】
「第２の屈曲部」は、係合凸部と協動してカバー筒部材への回転力を垂直方向の力に変換する機能を有する。第２の屈曲部は第１の屈曲部とほぼ相似形である。相似という言葉を用いるのは、屈曲部の各斜辺の長さに対して溝の太さの割合が異なるからである。これについては後述する。両屈曲部の巾方向中点を通る中心線の形状は同じとすることができる。各屈曲部の斜辺の水平に対する傾斜角度は６０°以下とすることが望ましく、特に４５°程度が好適である。
【００１０】
第２の手段は、第１の手段を有し、かつ
上記ノズルカバー５６は、天板５７の左右両縁から二つの側板５８を垂下し、これら側板のうち横溝５２aが延びる方向にある一方側板の垂下長ｈを、上記第２の屈曲部の高さHよりも小としている。
【００１１】
本手段は、ノズルカバーの好適な構造を提案している。ノズルカバーは、ノズルの上半部を他物の接触から保護するものであり、横断面形状をほぼ逆Ｕ字形とすることができる。また、ノズルカバーの側板は、ノズルが第２の屈曲部内を道なりに移動することで側板に当接せずに側板の下側を迂回することが可能に形成する。
【００１２】
第３の手段は、第２の手段を有し、かつ
上記挿通用孔５２は、カバー筒部材４０の筒壁４２の前壁部分下端から上方へ延びるノズル挿入用の一つの縦溝５２ｂと、この縦溝５２ｂの上部から周方向一方へ延びる一つの上述の横溝５２aとで形成され、
上記案内溝２９は、上記縦溝５２ａに対応して、第１溝部分２９ａの一端部から上方へ延びる第２溝部分２９ｂを有する。
【００１３】
本手段では、まず横溝内にノズルを挿入するための縦溝を挿通用孔の一部として形成することを提案している。また、縦溝に対応する第２溝部分を案内溝の一部として形成するとよい。これにより係合凸部が第１溝部分から第２溝部分内へ摺動することで、ノズルが横溝から縦溝へ両溝の角部に衝突せずに案内されるようにしている。
【００１４】
第４の手段は、第２の手段を有し、かつ
上記挿通用孔５２は、カバー筒部材４０の筒壁４２の前壁部分下端から上方へ延びるノズル挿入用の一つの縦溝５２ｂと、この縦溝５２ｂの上部から周方向双方へ延びる一対の上述の横溝５２aとで形成されており、
上記案内溝２９は、上記対向面の一方の周方向の任意の一箇所から、各横溝５２ａに対応して周方向反対側へ延びる一対の第１溝部分２９ａと、当該箇所から縦溝５２ｂに対応して上方へ延びる第２溝部分２９ｂとを有し、
さらにそれら第１溝部分２９ａの先部からは、２本の押下げ用溝３０を垂下させている。
【００１５】
本手段では、挿通用孔の横溝および案内溝の第１溝部分をそれぞれ一対として形成している。前者は縦溝を、又後者は第２溝部分をそれぞれ対照軸とする左右一対とすることが望ましい。こうすることで、右利きの人にも左利きの人にも使い勝手がよい容器とすることができる。
【００１６】
第５の手段は、第２の手段から第４の手段の何れかを有し、かつ
上記対向面の一方に、同形状の複数の溝路２８を等角的に配置し、かつ他方に、各溝路内に挿入する溝路と同数の係合凸部４８を形成している。
【００１７】
本手段では、案内溝と押下げ用溝とからなる複数の溝路を、パノラマ展開図である図８の如く等角的に配置している。これによりカバー筒部材のスムーズな回動が可能となる。
【発明の効果】
【００１８】
第１の手段に係る発明によれば次の効果を奏する。第１に、カバー筒部材４０は、押下げヘッドにつけた状態での回転操作を可能とする、ノズルの挿通用孔５２を有するから、押下げヘッドから外して紛失するおそれがない。第２に、ノズルのガイド手段として、案内溝２９及び係合凸部４８を形成したから、ノズルに不要の外力が作用することを防止できる。
【００１９】
第２の手段に係る発明によれば、ノズルカバーの側板の垂下長を第２の屈曲部の高さＨ以上としたから、上記側板へのノズルの当接防止を確実とすることができる。
【００２０】
第３の手段に係る発明によれば、挿通用孔５２の一部としてノズル挿入用の縦溝５２ｂを形成したから、押下げヘッドへのカバー筒部材の装着が容易である。
【００２１】
第４の手段に係る発明によれば、挿通用孔５２は、左右対照の一対の横溝５２ａを含むから、利用者の利き手にかかわらず、操作し易い。
【００２２】
第５の手段に係る発明によれば、案内溝と押下げ用溝とからなる溝路２８を複数形成したから、回動操作時のカバー筒部材のガタツキを防止できる。
【発明を実施するための最良の形態】
【００２３】
図１から図９は本発明の第１の実施形態の押下げヘッド容器を示している。
この容器は、容器体２と、シリンダ６と、作動部材８と、装着部材１６と、カバー筒部材４０とで形成している。
【００２４】
容器体２は、胴部から肩部を介して口頸部４を起立している。
シリンダ６は、上端部に有する鍔部６ａを、口頸部４の上端面に係止させて、容器体２内へ垂下している。
【００２５】
作動部材８は、上記シリンダ６内部から起立したステム１０の上端部に押下げヘッド１２を付設している。押下げヘッドは、図４に示す如くその頂壁の内周部及び外周部からそれぞれ内周壁13ａ及び外周壁１３ｂを垂下している。内周壁１３ａはステム１０の上部に嵌合されている。また押下げヘッドの前面からはノズル１４を前方突出している。そして、作動部材８は、シリンダ６に対する上記ステム１０の上下動により容器体内から液体を吸い上げ、加圧してステム１０を介してノズル１４から噴出するように構成している。
【００２６】
装着部材１６は、図１のように上記口頸部４に螺合させた装着筒１８の上端からフランジ状頂壁２０を少なくとも内方へ突出し、このフランジ状頂壁の内周側から係合筒２２を、また、外周側から案内筒２４をそれぞれ起立している。この案内筒の外面上端部には図５に示す如く第１抜止め用凸部２５を付設する。さらに案内筒の上端部を除く左右側板部分外面には後述のカバー筒部材係止用のストッパ突部２６を縦設している。上記係合筒２２と押下げヘッド１２の外周壁１３Ｂとには、図４に示す如く相互に係合する縦凹条２７ａ及び縦凸条２７ｂからなる廻り止め手段２７を形成する。
【００２７】
さらに上記案内筒２４の外面には、一対の溝路２８を形成する。各溝路２８は略Ｌ字形の案内溝２９と押下げ用溝３０とで形成されている。この案内溝２９は、図１に点線で示す、横向きの第１溝部分２９ａと、縦向きの第２溝部分２９ｂとからなる。そして、第２溝部分２９ｂの先端からは、上記押下げ用溝３０を下方へ延長している。図８には案内溝２９及び押下げ用溝３０の形状を説明するために案内筒の外面を３６０°パノラマ展開した図形を描いている。上記第１溝部分２９ａは、案内筒２４の適所から周方向へ延びる全体として横長形であり、その長手方向の基端Ｒ寄りに、筒径方向外側から見て逆Ｖ字形の第２の屈曲部３２を付形している。この第２の屈曲部は後述の係合凸部を上下動させるためのものである。上記第２溝部分２９ｂは、上記係合凸部の挿入口であり、第１溝部分の基端Ｒから第１抜止め用凸部２５の横を通過して案内筒の上端まで延びている。上記各溝路２８は、押下げ用溝３０及びストッパ突部２６の形成箇所が周方向に重ならないように配置する。図示例では、図６に示す２つの第２溝部分２９ｂを結ぶ一点鎖線は前後方向に対して３０°程度ずらしてある。
【００２８】
図示例では、さらに図１の如くフランジ状頂壁２０を側外方へ延長して、この延長部分外縁から大径筒３４を垂下するとともに、フランジ状頂壁の上面から外筒外面に亘って、内向きフランジを上端に有する加飾筒３６を装着している。
【００２９】
カバー筒部材４０は、有頂筒形であって、その頂壁の外周部から、案内筒を下端部で囲む筒壁４２を垂下している。この筒壁下端部は図４に示す大内径部とし、この大内径部を図５に示すように表裏両側から挟む内筒４４ａ及び外筒４４ｂを含む挟持筒４４を設けている。上記内筒４４ａは、その左右両壁部下端面と、図１に点線で示すストッパ突部２６の上端面の上に載置することが可能にしている。内筒の厚さは少なくともストッパ突部の突出巾と同じとするとともに、内筒の後壁部を全長に亘って縦溝状に切り欠いて、この切欠き４６を、図７に示すカバー筒部材の回転位置におけるストッパ突部２６の収納部としている。切り欠き４６を除く内筒部分の下部適所には係合凸部４８を付設する。この係合凸部は案内溝２９内に摺動自在に挿入されている。このようにすることで、案内筒２４に対するカバー筒部材４０の回動により係合凸部４８が逆Ｖ字形の第２の屈曲部３２を通過するときに、カバー筒部材４０が上下動するように構成されている。また上記内筒４４ａの内面には、第１抜止め用凸部２５と係合する第２抜止め用凸部（図示せず）を付設している。
【００３０】
上記カバー筒部材の筒壁４２には、挿通用孔５２を穿設している。この挿通用孔５２は図３に示すように横溝５２ａと縦溝５２ｂと逆Ｌ字形に形成している。図９は、この挿通用孔５２の形状を説明するために、筒壁４２の外面をパノラマ展開した図形を示している。横溝５２ａは、縦溝５２ｂよりの部分に筒径方向から見てＶ字形の第１の屈曲部５４を有する。挿入用孔５２と案内溝２９とは筒径方向外側から見ておおよそ１８０°回転対称な形状を有する。「おおよそ」という言葉を用いたのは、挿入用孔の縦溝５２ｂと案内溝の第２溝部分２９ｂとの長さは必ずしも同じではなくてもよいからである。また、挿入用孔の各溝部の巾はノズルの太さに、案内溝の巾は係合凸部のサイズに対応している。従って挿入用孔５２と挿入用孔とは厳密な対照形状ではないが、おおよそ対応した形状を有する。第１の屈曲部５４が横溝５２ａの周方向一方寄りに位置するときには、第２の屈曲部３２は第１溝部分２９ａの周方向他方寄りに位置する。また、第１の屈曲部５４と第２の屈曲部の相互に対応する斜辺の長さや傾斜角度は同じである。
【００３１】
さらに挿通用孔５２上方の筒壁部分からは、ノズルカバー５６を庇状に突設している。ノズルカバーは、図１１に示す如く上方から見て扇形の天板左右両側から側板５８を垂下している。本実施形態では左右側板の一方を短くしており、その垂下長ｈを第１の屈曲部５４の高さＨよりも小さくする。
【００３２】
上記構成において、図１の状態では、ストッパ突部２６の上端面がカバー筒部材の挟持筒４４下面に当接し、カバー筒部材の押し下げを防止している。次にカバー筒部材を周方向の何れか一方に回転させると、カバー筒部材４０の係合凸部４８が図８に示す基端Ｒから第１溝部分２９ａ内に入り、第２の屈曲部３２に沿ってスライドする。これによりカバー筒部材４０は、回転しながら上下動することになる。これら二つの運動の合成により、ノズル１４が挿通用孔の横溝５２ａ内を道なりに移動する動きが実現される。上記係合凸部４８が第２の屈曲部３２を経て第１の溝部分２９ａの先端Ｓに到達すると、ノズル１４もノズル挿入孔の横溝５２ａの先端部に達する。その後にカバー筒部材４０を押し下げると、カバー筒部材とともに押下げヘッド１２も下降し、係合凸部４８が押下げ用溝３０内を下降する。押し下げ力を解放すると、押下げヘッド及びカバー筒部材の上昇復帰に伴って係合凸部も押下げ用溝内を上昇する。
【００３３】
図９は、この挿通用孔５２の形状を説明するために、筒壁４２の外面をパノラマ展開した図形を示している。横溝５２ａは、中間部に筒半径方向から見てＶ字形の第１の屈曲部５４を有しており、上記挿通用孔の第１溝部分２９ａとは上下反対向きに形成している。さらに第２の屈曲部３２及び第１の屈曲部５４の高さも同じである（Ｈ）。また縦溝５２ｂは、筒壁４２前壁上部分から挟持筒４４を縦断してカバー筒部材の下端面に到達している。
【００３４】
さらに挿通用孔５２上方の筒壁部分からは、ノズルカバー５６を庇状に突設している。ノズルカバーは、図１１に示す如く上方から見て扇形の天板左右両側から側板５８を垂下している。その垂下長ｈは、上記Ｖ字形の屈曲部の高さＨよりも小さくする。またノズルカバーの平面形状は、図１１に示すように、前後方向の中心軸Ｌに対して上記側板５８の周方向の位置がθ１〜θ２の範囲にあるように設計する。この構成によれば、ノズルカバー５６が図１１に示す実線位置から破線位置へ移動するときに、係合凸部４８が第２の屈曲部３２内を通過することで、側板５８がノズル１４との接触を避けるように上下動することになる。また、図示例では、図１に示すようにガタツキ防止用の突起６０を筒壁４２の後壁内面に付設している。さらにまたカバー筒部材の頂壁裏面の適所には、押下げヘッド押下げ用の押下げ凸部６２を付設している。
【００３５】
以下本発明の他の実施形態を説明する。これらの説明において第１実施形態と同じ構成については解説を省略する。
【００３６】
図１０から図１９は、本発明の第２実施形態を示している。本実施形態では、ノズルカバー、挿通用孔、溝路（案内溝及び押下げ用溝）の形状を変更したものである。
【００３７】
ノズルカバー５６は、図１１に示すように上方から見て扇形に形成されている。天板５７の両側からは、ノズルの側面を覆うように側板５８を深く垂下している。この側板は上方から見た中心線Ｌに対して、θ１〜θ２の範囲にある。
【００３８】
挿通用孔５２は、図１２に示すように、縦溝５２ｂの上端から周方向両側へ左右一対の横溝５２ａを延長することで左右対称に形成している。これにより左右の何れに回転させてもよいように構成している。各横溝５２ａは展開図である図１８に示すように長手方向の中間部に逆Ｖ字形の第１の屈曲部５４を有する。この屈曲部は、縦溝５２ｂに対して角度θ２の位置で斜行し始めて角度θ１で頂点に至る。図示例では、屈曲部を構成する２つの斜辺は同じ長さで傾斜角も同じ（４５°）である。しかしその構造は適宜変更することができる。屈曲部の高さＨは、ノズルカバーの側板５８の垂下長ｈよりも大きい。これによりカバー筒部材を回転するときにノズルが上記側板５８を避けるように迂回するようにすることができる。
【００３９】
案内溝２９は、挿通用孔５２に対応して、図１７に示すように縦向きの第２溝部分２９ｂの下端から周方向両側へ左右一対の第１溝部分２９ａを延出している。第１溝部分２９ａは、横溝５２ａに対して１８０°回転対照（図示例では上下対称）である。第２の屈曲部３２の各斜辺の傾斜角度・長さは第１の屈曲部５４の対応部分と同じである。第１実施形態と同様に案内溝２９を案内筒の前後位置から多少ずらした場所に配置している。各案内溝の先部からは２本の押下げ用溝３０を垂下している。
【００４０】
図１９は、本実施形態の変形例であり、図１１に示す溝路２８を等角的に複数（図示例では２つ）設けたものである。各溝路２８は間隔を置かずに連続し、押下げ用溝３０を共有している。
【００４１】
図２０及び図２１は、本発明の第３の実施形態を示している。この実施形態では、案内筒２４外面に回動不能に嵌合させた下半部から、案内筒部と同内径の上半部を起立する補助筒６６を設ける。この補助筒の上半部内面は、押下げヘッドの外周壁１３Ｂの下端部外面に対向している。また補助筒６６の下半部と案内筒２４の外面との適所（図示例では前半部）との間には、相互に係合する縦リブと縦溝とからなる位置合わせ手段６８を形成する。案内筒２４の適所には、押下げヘッドの外周壁１３Ｂ下端面と係止するストッパ突部２６を縦設する。またカバー筒部材４０を押し下げ位置まで回動したときにストッパ突部に対応する外周壁１３Ｂ部分には、ストッパ突部収納用の切り欠き４６を形成する。
【００４２】
切り欠き穿設箇所を除く外周壁１３Ｂ部分の下部には、係合凸部４８を設置する。また、この係合凸部の設置個所に対応して、上記補助筒６６の上半部の適所（図示例では後半部分）には、第１実施形態のものと同様の形状を有する案内溝２９を形成する。この案内溝２９の第１溝部分２９ａ内を、第２の屈曲部３２を経由して係合凸部が往復することで、ノズル１４が挿通用孔の第１の屈曲部５４付き横溝５２ａを、道なりに移動する。
【図面の簡単な説明】
【００４３】
【図１】本発明の第1の実施形態に係る押下げヘッド容器の一部切欠き縦断面図である。
【図２】図１容器の押下げヘッドの平面図である。
【図３】図１容器の正面図である。
【図４】図１容器の縦断面図である。
【図５】図１容器の一部を断面で示す側面図である。
【図６】図１容器の横断面図である。
【図７】図１容器のカバー筒部材を回転させた状態での横断面図である。
【図８】図１容器の案内筒外面をパノラマ様に展開した図である。
【図９】図１容器のカバー筒部材の筒壁外面を展開した図である。
【図１０】本発明の第２の実施形態に係る押下げヘッド容器の一部切欠き縦断面図である。
【図１１】図１０容器の押下げヘッドの平面図である。
【図１２】図１０容器の正面図である。
【図１３】図１０容器の縦断面図である。
【図１４】図１０容器一部を断面で示す側面図である。
【図１５】図１０容器の横断面図である。
【図１６】図１０容器のカバー筒部材を回転させた状態での横断面図である。
【図１７】図１０容器の案内筒外面をパノラマ様に展開した図である。
【図１８】図１０容器のカバー筒部材の筒壁外面を展開した図である。
【図１９】同実施形態の変形例の案内筒外面をパノラマ様に展開した図である。
【図２０】本発明の第３の実施形態に係る押下げヘッド容器の要部縦断面図である。
【図２１】図２０の一部を断面で示す分解図である。
【符号の説明】
【００４４】
２…容器体  ４…口頸部  ６…シリンダ  ６ａ…鍔部  ８…作動部材  １０…ステム
１２…押下げヘッド  １３ａ…内周壁  １３ｂ…外周壁  １４…ノズル
１６…装着部材  １８…装着筒
２０…フランジ状頂壁  ２２…係合筒  ２４…案内筒  ２５…第１抜止め用凸部
２６…ストッパ突部  ２７…廻り止め手段  ２７ａ…縦凹条  ２７ｂ…縦凸条
２８…溝路  ２９…案内溝  ２９ａ…第１の溝部分  ２９ｂ…第２の溝部分 
３０…押下げ用溝
３２…第２の屈曲部  ３４…大径筒  ３６…加飾筒  
４０…カバー筒部材  ４２…筒壁  ４４…挟持筒  ４４ａ…内筒  ４４ｂ…外筒
４６…切り欠き  ４８…係合凸部
５２…挿通用孔  ５２ａ…横溝  ５２ｂ…縦溝  ５４…第１の屈曲部
５６…ノズルカバー  ５７…天板  ５８…側板
６０…ガタツキ防止用突起  ６２…押下げ凸部  ６６…補助筒
６８…位置合わせ手段
【図１】
2010083493.tif 000003
【図２】
2010083493.tif 000004
【図３】
2010083493.tif 000005
【図４】
2010083493.tif 000006
【図５】
2010083493.tif 000007
【図６】
2010083493.tif 000008
【図７】
2010083493.tif 000009
【図８】
2010083493.tif 000010
【図９】
2010083493.tif 000011
【図１０】
2010083493.tif 000012
【図１１】
2010083493.tif 000013
【図１２】
2010083493.tif 000014
【図１３】
2010083493.tif 000015
【図１４】
2010083493.tif 000016
【図１５】
2010083493.tif 000017
【図１６】
2010083493.tif 000018
【図１７】
2010083493.tif 000019
【図１８】
2010083493.tif 000020
【図１９】
2010083493.tif 000021
【図２０】
2010083493.tif 000022
【図２１】
2010083493.tif 000023